(57)【特許請求の範囲】
【請求項１】
ケースに発熱素子を密封したヒータと、２つの脚部の先端部を内側に鋭角に折り込んで爪部を形成したブラケットと、対向する２つの辺に近接させて２つの長窓を並設することにより係合部を形成したヒータカバーとからなり、
前記係合部を前記脚部と前記爪部との曲折部に係合させて前記ヒータカバーを空隙を設けた状態で取り付けた前記ブラケットにより、前記ヒータを給水管に取り付けることを特徴とした凍結防止ヒータ。
【請求項２】
２つの前記長窓において、内側に位置する前記長窓は広く、外側に位置する長窓は狭いことを特徴とする請求項１記載の凍結防止ヒータ。
【発明の詳細な説明】
【０００１】
【発明の属する技術分野】
本発明は、例えば給湯器等の給水管が凍結するのを防止するための凍結防止ヒータに関するものである。
【０００２】
【従来の技術】
従来、この種の凍結防止用のヒータ１は、図３に示すように、両端にリード線２を接続した発熱素子〔抵抗体(図示しない)〕と、給水管７（図４参照）に取り付け易くするための略Ｖ字状の溝３を底面に凹設すると共に、ずれを防止するための一対の突起４を少なくとも一方の側面に突設したセラミックケース５と、セラミックケース５の中に充填するセメント材６とからなり、発熱素子をセラミックケース５の中に収納し、リード線２をセラミックケース５の中から引き出した状態で、セラミックケース５の中にセメント材６を充填して、密封したものである。
【０００３】
又、ヒータ１を給水管７に取り付けるブラケット８は、図４に示すように、ヒータ１の平面の幅とほぼ等しい長さの基部９の両端部を略垂直に折り曲げて脚部１０を形成した上、両脚部１０の先端部を更に内側に鋭角に折り込んで爪部１１を形成したもので、ステンレス等の金属製である。
【０００４】
ヒータ１を給水管７に取り付けるときには、直列又は並列に接続された複数のヒータ１を、ヒータ１の溝３の壁面が給水管７に当接するようにして給水管７の所望の箇所に載置した上、ブラケット８の脚部１０をヒータ１の一対の突起４に沿わせながら、ヒータ１に跨るブラケット８の基部９を押圧して、脚部１０の先端を給水管７の先まで押し込み、ヒータ１及び給水管７を２つの爪部１１の間から両脚部１０の間に割り込ませる。
【０００５】
すると、ブラケット８の脚部１０及び爪部１１の復元力により、爪部１１の先端が給水管７に食い付くと、基部９が給水管７の方に引っ張られて、ヒータ１は溝３の壁面が給水管７に圧接した状態で給水管７に取り付けられると共に、基部９の側の脚部１０はヒータ１の一対の突起４の間に嵌合してヒータ１の横ずれを阻止する。
【０００６】
このようにして給水管７に取り付けたヒータ１に通電すると、ヒータ１の発熱素子が発熱して、給水管７を加熱するため、給水管７の中の水は凍結しない。
【０００７】
【発明が解決しようとする課題】
ところで、ヒータ１の発熱素子を発熱させると、表面温度が最も高くなるヒータ１の中央部では２００℃を超えるため、ヒータ１の周囲に緩やかに取り付けたリード線等に取り付けたハーネス等の低耐熱部品がヒータ１或いはブラケット８の高温部に接触すると、それらの部品が溶融する等して破損するという課題があった。
【０００８】
本発明は、このような課題を解決するためになされたもので、低耐熱部品がヒータ或いはブラケットの高温部に接触しないようにした凍結防止ヒータを提供することを目的とするものである。
【０００９】
【課題を解決するための手段】
本発明は、ケースに発熱素子を密封したヒータと、２つの脚部の先端部を内側に鋭角に折り込んで爪部を形成したブラケットと、対向する２つの辺に近接させて２つの長窓を並設することにより係合部を形成したヒータカバーとからなり、係合部を脚部と爪部との曲折部に係合させてヒータカバーを空隙を設けた状態で取り付けたブラケットにより、ヒータを給水管に取り付けるものである。
【００１０】
本発明によれば、ヒータ及びヒータカバーがブラケットによって給水管に取り付けられるため、リード線，ハーネス等の低耐熱部品のヒータへの接触がヒータカバーによって阻止されて、低耐熱部品が溶融する等して破損することを防止できる。
【００１１】
【発明の実施の形態】
以下、本発明の実施の形態について、図１及び図２を参照しながら詳細に説明する。
【００１２】
図１は給水管に取り付けた状態における本発明の凍結防止ヒータを示し、図２は本発明の凍結防止ヒータにおけるヒータカバーを展開したものを示す。
【００１３】
図１の参照番号において図３及び図４の参照符号と同一符号のものは、同一部分を示すものである。
【００１４】
ヒータカバー１２は、縦方向（図２において上下方向）がヒータ１のセラミックケース５の長さ（図３において左右方向）よりも若干長く、横方向（図２において左右方向）がヒータカバー１２の表面温度が１００℃以下になるような空隙をブラケット８との間に形成できる程度の長さの四角形の弾性部材からなるもので、ヒータカバー１２の縦方向の２つの辺に近接させて２つの長窓１３と長窓１４とを並設することにより係合部１５が形成されている。
【００１５】
このような構成の本発明の凍結防止ヒータにおいて、ヒータカバー１２の弾性に抗してヒータカバー１２を彎曲させて、ブラケット８の２つの爪部１１をそれぞれ長窓１３から長窓１４に順次挿通し、係合部１５をブラケット８の脚部１０と爪部１１との曲折部１６に係合させると、ヒータカバー１２はその弾性によって外側に弾けて、係合部１５が曲折部１６に係止され、ヒータカバー１２はブラケット８に空隙を設けた状態で取り付けられる。
【００１６】
そこで、ヒータ１を給水管７に取り付けるときには、直列又は並列に接続された複数のヒータ１を、ヒータ１の溝３の壁面が給水管７に当接するようにして給水管７の所望の箇所に載置した上、ブラケット８の脚部１０をヒータ１の一対の突起４に沿わせながら、ヒータ１に跨るブラケット８の基部９をヒータカバー１２の上から押圧して、脚部１０の先端を給水管７の先まで押し込み、ヒータ１及び給水管７を２つの爪部１１の間から両脚部１０の間に割り込ませる。
【００１７】
すると、ブラケット８の脚部１０及び爪部１１の復元力により、爪部１１の先端が給水管７に食い付くと、基部９が給水管７の方に引っ張られて、ヒータ１は溝３の壁面が給水管７に圧接した状態で給水管７に取り付けられ、ヒータカバー１２はブラケット８との間に空隙を設けた状態でブラケット８の外周に取り付けられ、基部９の側の脚部１０はヒータ１の一対の突起４の間に嵌合してヒータ１の横ずれを阻止する。
【００１８】
このように、ヒータ１及びヒータカバー１２がブラケット８によって給水管７に取り付けられるため、ヒータ１の周囲に緩やかに取り付けたリード線等に取り付けたハーネス等の低耐熱部品のヒータ１への接触が、ヒータ１の中央部の表面温度が２００℃を超えても、中央部の表面温度が１００℃以下に保持されるヒータカバー１２によって阻止され、低耐熱部品であっても溶融する等して破損することはない。
【００１９】
なお、ヒータカバー１２の材質としては、少なくとも弾性及び１００℃を若干超す程度の耐熱性を有するものであれば、ポリアミド等の短繊維と合成パルプとを抄紙したアラミド紙、例えばノーメックス（デュポンの登録商標）や、シート状の金属，プラスチック等を使用できる。
【００２０】
又、長窓１４の横方向（図２において左右方向）の幅をブラケット８の板厚よりも若干広い程度、長窓１３の横方向（図２において左右方向）の幅を長窓１４の横方向の２倍程度、即ち長窓１３を長窓１４より大きくし、係合部１５の横方向（図２において左右方向）の幅を長窓１４の幅と等しい寸法にすることにより、係合部１５が曲折部１６に係合させ易くなると共に、係合部１５が曲折部１６から脱落し難くなる。
【００２１】
【発明の効果】
以上説明したように、本発明によれば、ヒータ及びヒータカバーがブラケットによって給水管に取り付けられるため、リード線，ハーネス等の低耐熱部品のヒータへの接触がヒータカバーによって阻止されて、低耐熱部品が溶融する等して破損することを防止できるという効果がある。
【００２２】
又、本発明によれば、ヒータカバーは従来から販売されているブラケットに取り付けることもできるため、既に給水管に取り付けられている凍結防止ヒータへの接触による低耐熱部品の破損も防止することができるという効果がある。
【００２３】
更に、本発明によれば、ヒータカバーは少なくとも弾性及び耐熱性を有する材質ものであれば、何でも使用できる上、ヒータカバー及びブラケットの構造が単純なため、製造原価が安くなるという効果がある。
【図面の簡単な説明】
【図１】  (ａ)は給水管に取り付けた状態における本発明の凍結防止ヒータの正面図、
(ｂ)は給水管に取り付けた状態における本発明の凍結防止ヒータの側面図、
(ｃ)は給水管に取り付けた状態における本発明の凍結防止ヒータの底面図
【図２】本発明の凍結防止ヒータにおけるヒータカバーの展開図
【図３】凍結防止ヒータの斜視図
【図４】凍結防止ヒータをブラケットによって給水管に取り付けた状態を示す正面図
【符号の説明】
１  ヒータ
２  リード線
３  溝
４  突起
５  セラミックケース
６  セメント材
７  給水管
８  ブラケット
９  基部
１０  脚部
１１  爪部
１２  ヒータカバー
１３  長窓
１４  長窓
１５  係合部
１６  曲折部
【図１】
0004271815.tif 000002
【図２】
0004271815.tif 000003
【図３】
0004271815.tif 000004
【図４】
0004271815.tif 000005